(57)【要約】【課題】採風を可能としかつ日射を抑えることができるドア装置及び採風採光戸を提供する。【解決手段】ドア装置１は、親ドア２と、親ドア２に隣接して位置する子ドア１０と、正面視において子ドア１０と重なるように位置する採風採光戸３と、を備える。採風採光戸３は、戸本体３１と、戸本体３１の正面視における一部に形成される貫通口３０を閉塞可能な第１の障子４及び第２の障子５を有する。第１の障子４及び第２の障子５は、少なくとも一方が貫通口３０を閉塞する状態から、貫通口３０を露出させかつ正面視において他方に重なるように戸本体３１に対してスライド可能である。第１の障子４及び第２の障子５は、互いに偏光方向が異なる偏光フィルム４４，５４を有し、正面視において偏光フィルム４４，５４の互いに重なる部分が遮光性を有する。【選択図】図５
2020056181.tif 000002
【特許請求の範囲】
【請求項１】
親ドアと、
前記親ドアに隣接して位置する子ドアと、
正面視において前記子ドアと重なるように位置する採風採光戸と、を備え、
前記採風採光戸は、戸本体と、前記戸本体の正面視における一部に形成される貫通口を閉塞可能な第１の障子及び第２の障子を有し、
前記第１の障子及び前記第２の障子は、少なくとも一方が前記貫通口を閉塞する状態から、前記貫通口を露出させかつ正面視において他方に重なるように前記戸本体に対してスライド可能であり、
前記第１の障子及び前記第２の障子は、互いに偏光方向が異なる偏光フィルムを有し、正面視において前記偏光フィルムの互いに重なる部分が遮光性を有する
ドア装置。
【請求項２】
前記採風採光戸は、前記貫通口に対応する部分に網部を有する
請求項１記載のドア装置。
【請求項３】
戸本体と、前記戸本体の正面視における一部に形成される貫通口を閉塞可能な第１の障子及び第２の障子を備え、
前記第１の障子及び前記第２の障子は、少なくとも一方が前記貫通口を閉塞する状態から、前記貫通口を露出させかつ正面視において他方に重なるように前記戸本体に対してスライド可能であり、
前記第１の障子及び前記第２の障子は、互いに偏光方向が異なる偏光フィルムを有し、正面視において前記偏光フィルムの互いに重なる部分が遮光性を有する
採風採光戸。
【請求項４】
前記貫通口に対応する部分に網部を有する
請求項３記載の採風採光戸。
【発明の詳細な説明】
【技術分野】
【０００１】
本開示は、ドア装置及び採風採光戸に関し、更に詳しくは、親ドアと第１の障子及び第２の障子を有する採風採光戸とを備えたドア装置及び採風採光戸に関する。
【背景技術】
【０００２】
従来、網戸ユニット付き玄関ドアが知られている（例えば特許文献１参照）。特許文献１に示される網戸ユニット付き玄関ドアは、親ドアと、子ドアと、子ドアと重なるように配置される網戸ユニットと、を備えている。
【０００３】
この網戸ユニット付き玄関ドアにあっては、主に夏期において、子ドアを開ければ、網戸ユニットにより虫等の侵入を抑えつつ、採風が可能となる。しかしながら、この状態では、網戸ユニットは遮光性を有しないことから、屋内への日射を抑えることが困難であった。
【先行技術文献】
【特許文献】
【０００４】
【特許文献１】特開昭６１−２４７８２号公報
【発明の概要】
【発明が解決しようとする課題】
【０００５】
本開示は、採風を可能としかつ日射を抑えることができるドア装置及び採風採光戸を提供することを目的とする。
【課題を解決するための手段】
【０００６】
本開示に係る一形態のドア装置は、親ドアと、前記親ドアに隣接して位置する子ドアと、正面視において前記子ドアと重なるように位置する採風採光戸と、を備える。前記採風採光戸は、戸本体と、前記戸本体の正面視における一部に形成される貫通口を閉塞可能な第１の障子及び第２の障子を有する。前記第１の障子及び前記第２の障子は、少なくとも一方が前記貫通口を閉塞する状態から、前記貫通口を露出させかつ正面視において他方に重なるように前記戸本体に対してスライド可能である。前記第１の障子及び前記第２の障子は、互いに偏光方向が異なる偏光フィルムを有し、正面視において前記偏光フィルムの互いに重なる部分が遮光性を有する。
【０００７】
本開示に係る他形態の採風採光戸は、戸本体と、前記戸本体の正面視における一部に形成される貫通口を閉塞可能な第１の障子及び第２の障子を備える。前記第１の障子及び前記第２の障子は、少なくとも一方が前記貫通口を閉塞する状態から、前記貫通口を露出させかつ正面視において他方に重なるように前記戸本体に対してスライド可能である。前記第１の障子及び前記第２の障子は、互いに偏光方向が異なる偏光フィルムを有し、正面視において前記偏光フィルムの互いに重なる部分が遮光性を有する。
【発明の効果】
【０００８】
本開示に係るドア装置及び採風採光戸にあっては、採風を可能としかつ日射を抑えることができる。
【図面の簡単な説明】
【０００９】
【図１】図１は、第一実施形態に係るドア装置（但し子ドアを除く）及び建物の要部の屋外側より見た正面図である。
【図２】図２は、同上のドア装置及び建物の要部の概略水平断面図である。
【図３】図３は、同上のドア装置における採風採光戸の要部の概略水平断面図である。
【図４】図４は、同上のドア装置における連動部を説明するための要部の概略垂直断面図である。
【図５】図５Ａ〜図５Ｃは、同上のドア装置における第１の障子の偏光フィルムと第２の障子の偏光フィルムの位置関係を説明するための概略正面図である。
【図６】図６は、第二実施形態に係るドア装置における第１の障子及び第２の障子の便宜上ずらした正面図である。
【図７】図７Ａ〜図７Ｃは、同上のドア装置における第１の障子の偏光フィルムと第２の障子の偏光フィルムの位置関係を説明するための概略正面図である。
【発明を実施するための形態】
【００１０】
以下、第一実施形態に係るドア装置及び採風採光戸について、図１〜図５に基いて説明する。
【００１１】
図１及び図２に示すように、ドア装置１は、建物８の玄関に配置される玄関ドアとして利用される。ドア装置１は、親ドア２と、子ドア１０（図２参照）と、採風採光戸３と、を備える。
【００１２】
親ドア２、子ドア１０及び採風採光戸３は、建物８の躯体に形成された、屋内９１側から屋外９２側にかけて貫通する開口８０を閉塞可能に配置される。
【００１３】
親ドア２は、人をはじめ荷物、家具等が建物８に入ったり出たりする出入口８１を開閉可能に閉塞する。この出入口８１は、躯体に形成された開口８０の一部である。親ドア２は、内面が屋内９１の土間（不図示）に面し、外面が屋外９２の空間に面する。親ドア２は、正面視矩形状をしたアルミニウム等の金属製のドア本体２１により主な部分が構成される。親ドア２は、屋内９１側及び屋外９２側に配置される把手２２と、施錠装置２３と、回転軸２４１を有する一端側を回転中心とし他端側が移動可能となるように支持する回転支持部２４と、を有する。親ドア２は、他端側が屋外９２側に移動するように回転して、出入口８１を開放する。
【００１４】
子ドア１０は、採風採光口８２を開閉可能に閉塞する。この採風採光口８２は、躯体に形成された開口８０の一部であり、出入口８１と隣接している。すなわち、出入口８１及び採風採光口８２が開口８０を構成する。開口８０は正面視矩形状をしており、このうち左右方向における一方側の正面視矩形状をした領域が出入口８１となり、他方側の正面視矩形状をした領域が採風採光口８２となる。正面視において、親ドア２は出入口８１と同じ形でかつ同じ大きさであり、子ドア１０は採風採光口８２と同じ形でかつ同じ大きさである。
【００１５】
子ドア１０は、親ドア２に隣接して位置する。子ドア１０は、内面が採風採光戸３に面し、外面が屋外９２の空間に面する。子ドア１０は、正面視矩形状をしたアルミニウム等の金属製のドア本体により主な部分が構成される。子ドア１０は、回転軸１１１を有する一端側を回転中心とし、他端側が移動可能となるように支持する回転支持部１１を有する。子ドア１０は、他端側が屋外９２側に移動するように回転して、採風採光口８２を開放する。子ドア１０の高さ（上下方向長さ）は、親ドア２の高さと同じであるが、子ドア１０の幅（左右方向長さ）は、親ドア２の幅よりも短い。子ドア１０は、例えばいわゆるフランス落としのような回転防止部材を有してもよい。
【００１６】
採風採光戸３は、正面視において子ドア１０と重なるように位置する。第一実施形態では、採風採光戸３は、子ドア１０の屋内９１側に位置する。採風採光戸３は、建物８に取り付けられる。採風採光戸３は、建物８に着脱可能に取り付けられることが好ましい。採風採光戸３は、採風採光口８２と同じ形でかつ同じ大きさである。
【００１７】
採風採光戸３は、正面視矩形状をしたアルミニウム等の金属製の戸本体３１により本体が構成される。採風採光戸３の戸本体３１は、上框３１１、下框３１２及び左右の縦框３１３により構成される。
【００１８】
戸本体３１は、正面視における一部に、屋内９１側から屋外９２側にかけて貫通する貫通口３０を有する。貫通口３０は、高さ及び幅が戸本体３１の高さ及び幅よりも短い正面視矩形状をしたものである。貫通口３０は、上框３１１、下框３１２及び左右の縦框３１３により囲まれた部分に形成される。
【００１９】
第一実施形態では、採風採光戸３は、貫通口３０に対応する部分に網部７を有している。
【００２０】
採風採光戸３は、貫通口３０を閉塞可能な第１の障子４及び第２の障子５を有する。第一実施形態では、第１の障子４及び第２の障子５の両方が、戸本体３１に対してスライド可能となる。図３に示すように、第１の障子４及び第２の障子５は、上げ下げ窓を構成する。第一実施形態では、第１の障子４が外障子となり、第２の障子５が内障子となる。
【００２１】
第１の障子４と第２の障子５の幅は、貫通口３０の幅と略同じである。第１の障子４と第２の障子５の高さは、貫通口３０の高さの半分よりも若干大きく、第１の障子４と第２の障子５とは、召し合わせ部４０で内外方向に重なった状態で、貫通口３０全体を閉塞する。第１の障子４と第２の障子５とは、第１の障子４の召し合わせ部４０が第２の障子５の召し合わせ部（不図示）に内外方向に重なった状態で、第１の障子４が貫通口３０の上側を閉塞し、第２の障子５が貫通口３０の下側を閉塞するが、逆であってもよい。
【００２２】
戸本体３１の縦框３１３は、貫通口３０に沿う部分に、上下方向に伸びる障子レール３３を有する。障子レール３３として、外障子（第１の障子４）用の障子レール３３１と、内障子（第２の障子５）用の障子レール３３２の二本が、内外方向に並設される。
【００２３】
第１の障子４及び第２の障子５は、障子枠４１，５１と、障子枠４１，５１に嵌め込まれるガラスからなり透光性を有する障子本体４２，５２と、を有する。第一実施形態では、便宜上、障子枠４１，５１は透光性を有する合成樹脂により形成されるものとする。第１の障子４及び第２の障子５の障子枠４１，５１には、レール溝４３，５３が形成されている。このレール溝４３，５３に障子レール３３１，３３２がそれぞれ挿入された状態で、第１の障子４及び第２の障子５が上下方向にスライド可能となる。
【００２４】
また、第一実施形態では、採風採光戸３は、第１の障子４のスライドに連動して第２の障子５をスライドさせる連動部６を有している。図４に示すように、連動部６は、例えば、外障子の障子枠４１とこの障子枠４１に隣接する内障子の障子枠５１との間に位置し、縦框３１３に回転可能に支持される歯車からなるピニオン部６１を有する。また、外障子の障子枠４１と内障子の障子枠５１とは、ピニオン部６１に対応する部分に、ピニオン部６１に噛み合うラック部６２，６３を有する。ピニオン部６１及びラック部６２，６３が連動部６を構成する。この連動部６により、図１に示す、第１の障子４及び第２の障子５が貫通口３０全体を閉塞する状態から、第１の障子４及び第２の障子５の一方をスライドさせると、第１の障子４及び第２の障子５の他方も同じ距離スライドする。
【００２５】
図３に示すように、第１の障子４及び第２の障子５は、互いに偏光方向が異なる偏光フィルム４４，５４を有する。第一実施形態では、第１の障子４が有する偏光フィルム４４及び第２の障子５が有する偏光フィルム５４は、偏光方向が互いに直交している。偏光フィルム４４は、第１の障子４の表面（屋内９１側の面）に貼付されており、偏光フィルム５４は、第２の障子５の表面（屋内９１側の面）に貼付されている。
【００２６】
第一実施形態では、第１の障子４及び第２の障子５が貫通口３０全体を閉塞する状態において、貫通口３０の上側の半分に第１の障子４が有する偏光フィルム４４が位置するものとする。また、第１の障子４及び第２の障子５が貫通口３０全体を閉塞する状態において、貫通口３０の下側の半分に第２の障子５が有する偏光フィルム５４が位置するものとする。この場合、図５Ａに示すように、偏光フィルム４４，５４は互いに内外方向に重ならず、貫通口３０全体が、採風（通気）が不可で採光が可能となる透光部３４となる。なお、図５Ａ〜図５Ｃにおいては、便宜上、第１の障子４においては偏光フィルム４４のみを示し、第２の障子５においては偏光フィルム５４のみを示す。
【００２７】
次に、第１の障子４及び第２の障子５が貫通口３０全体を閉塞する状態から、図５Ｂに示すように、第１の障子４を幾分か下方にスライドさせ、第２の障子５を幾分か上方にスライドさせる。このとき、正面視において偏光フィルム４４及び偏光フィルム５４の互いに重なっている部分が、採風及び採光が不可となる遮光部３５となる。また、偏光フィルム４４及び偏光フィルム５４のうち、正面視において互いに重なっていない部分が透光部３４となる。更に、偏光フィルム４４（すなわち第１の障子４）及び偏光フィルム５４（すなわち第２の障子５）が位置しない部分が、採風及び採光が可能となる通気隙間３６となる。
【００２８】
次に、図５Ｂに示す状態から、図５Ｃに示すように、第１の障子４を更に下方にスライドさせ、第２の障子５を更に上方にスライドさせて、正面視において偏光フィルム４４と偏光フィルム５４とを完全に重ねる。このとき、正面視において偏光フィルム４４と偏光フィルム５４とが重なっている全体が遮光部３５となり、透光部３４は形成されない。また、貫通口３０のうち遮光部３５以外の部分全体が通気隙間３６となる。
【００２９】
第一実施形態のドア装置１は、冬期等に、採光を行いつつ、採風を行わない場合には、子ドア１０を開け、図５Ａに示すように、第１の障子４及び第２の障子５が貫通口３０全体を閉塞するようにする。
【００３０】
このようにすることで、採風採光口８２全体を通じた採光により土間が日射を受け、土間への蓄熱が期待できる。また、網部７により、虫等の侵入を抑えることが可能となる。
【００３１】
また、夏期等に、遮光を行いつつ採風を行う場合には、子ドア１０を開け、第１の障子４及び第２の障子５を図５Ｂ又は図５Ｃに示す状態とし、遮光部３５及び通気隙間３６を形成させる。このようにすることで、遮光部３５により遮光しつつ、通気隙間３６を介しての採風が可能となる。図５Ｃに示す状態において、遮光性能及び通気性能が最も高くなる。
【００３２】
次に、第二実施形態に係るドア装置１について、図６及び図７に基いて説明する。なお、第二実施形態に係るドア装置１は、第一実施形態に係るドア装置１と大部分において同じである。このため、第一実施形態と重複する説明については、説明を省略する。
【００３３】
第一実施形態においては、第１の障子４は一つの障子本体４２を有し、第２の障子５は一つの障子本体５２を有するものであった。これに対して、第二実施形態においては、図６に示すように、第１の障子４は四つの障子本体４２を有し、第２の障子５は四つの障子本体５２を有する。
【００３４】
第１の障子４は、貫通口３０の幅と同じ幅で、高さ（上下方向の長さ）が貫通口３０の高さの１／８の障子本体４２を四つ有する。障子本体４２は、上下に並べられ、隣接する二つの障子本体４２は、貫通口３０の高さの１／８の高さの隙間をあけて配置される。隣接する二つの障子本体４２の間の隙間が、通気開口４５となる。
【００３５】
第２の障子５は、貫通口３０の幅と同じ幅で、高さが貫通口３０の高さの１／８の障子本体５２を四つ有する。障子本体５２は、上下に並べられ、隣接する二つの障子本体５２は、貫通口３０の高さの１／８の高さの隙間をあけて配置される。隣接する二つの障子本体５２の間の隙間が、通気開口５５となる。
【００３６】
図７Ａに示すように、第１の障子４の上端部が貫通口３０の上端部に位置し、第２の障子５の下端部が貫通口３０の下端部に位置する状態で、第１の障子４及び第２の障子５が貫通口３０全体を閉塞する。このとき、第１の障子４の通気開口４５に第２の障子５の偏光フィルム５４（障子本体５２）が位置し、第２の障子５の通気開口５５に第１の障子４の偏光フィルム４４（障子本体４２）が位置する。なお、図７Ａ〜図７Ｃにおいては、便宜上、第１の障子４においては偏光フィルム４４のみを示し、第２の障子５においては偏光フィルム５４のみを示す。
【００３７】
この場合、偏光フィルム４４，５４は互いに内外方向に重ならず、貫通口３０全体が透光部３４となって、採風が不可で採光が可能となる。
【００３８】
次に、第１の障子４及び第２の障子５が貫通口３０全体を閉塞する状態から、図７Ｂに示すように、第１の障子４を幾分か下方にスライドさせ、第２の障子５を幾分か上方にスライドさせる。このとき、正面視において偏光フィルム４４及び偏光フィルム５４の互いに重なっている部分が遮光部３５となって、採風及び採光が不可となる。また、偏光フィルム４４及び偏光フィルム５４のうち、正面視において互いに重なっていない部分が透光部３４となる。更に、偏光フィルム４４及び偏光フィルム５４が位置しない部分が通気隙間３６となって、採風及び採光が可能となる。
【００３９】
次に、図７Ｂに示す状態から、図７Ｃに示すように、第１の障子４を更に下方にスライドさせ、第２の障子５を更に上方にスライドさせて、正面視において偏光フィルム４４と偏光フィルム５４とを重ねる。このとき、正面視において遮光部３５及び通気隙間３６が形成され、透光部３４は形成されない。
【００４０】
第二実施形態では、第一実施形態で得られるのと同様の効果に加えて、第一実施形態よりも第１の障子４及び第２の障子５をスライドさせる距離が短くてすむ、という効果が得られる。
【００４１】
次に、第一実施形態〜第五実施形態の変形例について説明する。
【００４２】
ドア装置１は、第一実施形態では玄関ドアであったが、玄関ドアに限定されず、建物８の内部に配置されるドアとして利用されてもよい。
【００４３】
親ドア２及び子ドア１０の正面視における形状及び大きさ、厚みは特に限定されない。親ドア２及び子ドア１０のドア本体は木質材製等であってもよく、親ドア２及び子ドア１０の材質は特に限定されない。親ドア２及び子ドア１０の回転支持部２４，１１は、回転軸２４１，１１１を有するものではなく、蝶番等、従来公知の様々なものが適宜利用可能であり、特に限定されない。親ドア２及び子ドア１０が採風用又は採光用の小窓を有してもよい。親ドア２の把手２２及び施錠装置２３は、従来公知の様々なものが適宜利用可能であり、特に限定されない。
【００４４】
採風採光戸３の正面視における形状及び大きさ、厚みは特に限定されない。採風採光戸３の戸本体３１は木質材製等であってもよく、材質は特に限定されない。採風採光戸３の戸本体３１は、上框３１１、下框３１２及び左右の縦框３１３により構成されなくてもよい。すなわち、戸本体３１は、内部に貫通口３０を有する板状をしたものや、第１の障子４及び第２の障子５の水平方向の両側に位置して建物８に取り付けられる縦枠のみからなるもの（この場合、両方の縦枠の間が貫通口３０となる）等であってもよく、特に限定されない。貫通口３０の正面視における形状及び大きさは特に限定されない。
【００４５】
第一実施形態では、第１の障子４及び第２の障子５の両方が、戸本体３１に対してスライド可能となっていたが、両方が戸本体３１に対してスライド可能となる必要はない。すなわち、第１の障子４及び第２の障子５は、少なくとも一方が、貫通口３０を閉塞する状態から、貫通口３０を露出させかつ正面視において他方に重なるように戸本体３１に対してスライド可能であればよい。
【００４６】
障子枠４１，５１の正面視における形状及び大きさ、厚みは特に限定されない。障子枠４１，５１は、金属製あるいは木質材製等であってもよく、障子枠４１，５１の材質は特に限定されない。障子枠４１，５１は、透光性を有しなくてもよい。障子本体４２，５２は、ガラスからなるものでなくてもよく、合成樹脂等、透光性を有する材質であればよい。また、障子本体４２，５２には、補強用のワイヤが埋設されていてもよい。また、障子本体４２，５２は、すりガラスのように乱反射させつつ透光させる部材により形成されてもよい。また、障子本体４２，５２が色を有してもよい。
【００４７】
第１の障子４が有する偏光フィルム４４の偏光方向と、第２の障子５が有する偏光フィルム５４の偏光方向は、互いに直交しなくてもよい。すなわち、偏光フィルム４４の偏光方向と、偏光フィルム５４の偏光方向とは、平行でなく、幾分かの遮光性を有すればよい。
【００４８】
以上、述べた第一実施形態、第二実施形態及びその変形例から明らかなように、第１の態様のドア装置１は、親ドア２と、親ドア２に隣接して位置する子ドア１０と、正面視において子ドア１０と重なるように位置する採風採光戸３と、を備える。採風採光戸３は、戸本体３１と、戸本体３１の正面視における一部に形成される貫通口３０を閉塞可能な第１の障子４及び第２の障子５を有する。第１の障子４及び第２の障子５は、少なくとも一方が貫通口３０を閉塞する状態から、貫通口３０を露出させかつ正面視において他方に重なるように戸本体３１に対してスライド可能である。第１の障子４及び第２の障子５は、互いに偏光方向が異なる偏光フィルム４４，５４を有し、正面視において偏光フィルム４４，５４の互いに重なる部分が遮光性を有する。
【００４９】
第１の態様のドア装置１によれば、偏光フィルム４４，５４を互いに重ならせて遮光部３５を形成することで、遮光部３５において遮光を行うことができる。更に、第１の障子４及び第２の障子５をスライドさせて通気隙間３６を形成することで、通気隙間３６を介して採風を行うことができる。
【００５０】
第２の態様のドア装置１は、第１の態様との組み合わせにより実現される。第２の態様では、採風採光戸３は、貫通口３０に対応する部分に網部７を有する。
【００５１】
第２の態様のドア装置１によれば、虫等の侵入を抑えることが可能となる。
【００５２】
第３の態様の採風採光戸３は、戸本体３１と、戸本体３１の正面視における一部に形成される貫通口３０を閉塞可能な第１の障子４及び第２の障子５を有する。第１の障子４及び第２の障子５は、少なくとも一方が貫通口３０を閉塞する状態から、貫通口３０を露出させかつ正面視において他方に重なるように戸本体３１に対してスライド可能である。第１の障子４及び第２の障子５は、互いに偏光方向が異なる偏光フィルム４４，５４を有し、正面視において偏光フィルム４４，５４の互いに重なる部分が遮光性を有する。
【００５３】
第３の態様の採風採光戸３によれば、偏光フィルム４４，５４を互いに重ならせて遮光部３５を形成することで、遮光部３５において遮光を行うことができる。更に、第１の障子４及び第２の障子５をスライドさせて通気隙間３６を形成することで、通気隙間３６を介して採風を行うことができる。
【００５４】
第４の態様の採風採光戸３は、第３の態様との組み合わせにより実現される。第４の態様では、採風採光戸３は、貫通口３０に対応する部分に網部７を有する。
【００５５】
第４の態様の採風採光戸３によれば、虫等の侵入を抑えることが可能となる。
【符号の説明】
【００５６】
１    ドア装置
１０  子ドア
２    親ドア
３    採風採光戸
３０  貫通口
３１  戸本体
４    第１の障子
４４  偏光フィルム
５    第２の障子
５４  偏光フィルム
７    網部
【図１】
2020056181.tif 000003
【図２】
2020056181.tif 000004
【図３】
2020056181.tif 000005
【図４】
2020056181.tif 000006
【図５】
2020056181.tif 000007
【図６】
2020056181.tif 000008
【図７】
2020056181.tif 000009